(57)【要約】【課題】  組立て作業の作業効率を向上させることができる等速自在継手を低コストで提供する。【解決手段】  潤滑剤を充填させた複数個の袋体１２を外輪１とブーツ７の内部に収容する。この袋体１２は、等速自在継手の組立て前や組立て時に破裂や溶解などを起こして潤滑剤を放出させない強度を持ち、かつ、継手内部に収容された後において、内部に充填された潤滑剤を、等速自在継手の作動により等速自在継手を構成する部品との接触による破裂や、潤滑剤による全体あるいは部分的な溶解などにより、外輪１の内部に放出する素材で成形する。【選択図】    図１
2008281037.tif 000002
【特許請求の範囲】
【請求項１】
開口部を有する外側継手部材と、前記外側継手部材の内側に配される内部部品の一部を構成し、前記外側継手部材に対して相対動作する内側継手部材とを備え、一端に小径部を有し、かつ、他端に大径部を有する筒状のブーツの前記小径部を前記内側継手部材から延びる軸部材の外周面に締め付け固定し、前記ブーツの大径部を外側継手部材の開口部外周面に締め付け固定した等速自在継手であって、
少なくとも前記外側継手部材の内部に、潤滑剤が充填された袋体を収容させたことを特徴とする等速自在継手。
【請求項２】
前記袋体を前記潤滑剤と親和性を持つ素材で構成したことを特徴とする請求項１に記載の等速自在継手。
【請求項３】
前記袋体を熱可塑性樹脂で構成したことを特徴とする請求項１又は２に記載の等速自在継手。
【請求項４】
前記袋体を複数個使用したことを特徴とする請求項１〜３の何れか一項に記載の等速自在継手。
【請求項５】
前記複数個の袋体を、潤滑剤の充填量が異なる袋体の組合せとしたことを特徴とする請求項４に記載の等速自在継手。
【発明の詳細な説明】
【技術分野】
【０００１】
本発明は、自動車の駆動軸や各種産業機械に用いられ、回転トルクを伝達する等速自在継手に関するものである。
【背景技術】
【０００２】
等速自在継手には角度変位のみを許容する固定型等速自在継手と角度変位および軸方向変位（プランジング）を許容する摺動型等速自在継手とがあり、使用箇所により使い分けがなされている。例えば、自動車の車輪に動力を伝達する駆動軸において、車輪側に装着され、車輪の転舵に追従するための等速自在継手としては固定型等速自在継手が使用され。また、自動車のディファレンシャルギア側に装着され、転舵時の軸方向変位の吸収や、サスペンションの上下動による軸方向変位及び作動角の変化に追従するための等速自在継手としては摺動型等速自在継手が使用される。
【０００３】
図３に従来の等速自在継手として、固定型等速自在継手の一つであるボールフィクス型等速自在継手（ＢＪ）を示す。この等速自在継手は、外側継手部材である外輪１、内側継手部材である内輪３、ボール４、ケージ５で主要部が構成されている。外輪１の内部には、内輪３、ボール４およびケージ５からなり、外輪１に対して相対動作する内部部品１０が収容されている。外輪１は、内球面に複数のトラック溝１ａが形成されている。内輪３は、外球面に外輪１のトラック溝１ａと対をなす複数のトラック溝３ａが形成され、これら外輪１のトラック溝１ａと内輪３のトラック溝３ａとの間に複数のボール４が介在され、このボール４は外輪１と内輪３との間に配置されるケージ５のポケット５ａで保持されている。
【０００４】
内輪３は中心孔２を有し、この中心孔２には軸部材であるシャフト６の一端が挿嵌されている。このシャフト６から外輪１の開口端部１ｂに亙って、樹脂製で筒状のブーツ１７が取り付けられている。なお、筒状のブーツ１７は、ゴム製であっても良い。
【０００５】
このブーツ１７は、大径部１７ａと小径部１７ｂおよび蛇腹部１７ｃとからなり、蛇腹部１７ｃは大径部１７ａと小径部１７ｂを連結している。大径部１７ａは外輪１の開口端部１ｂの外周面に取り付けられ、小径部１７ｂはシャフト６の外周面に取り付けられ、それぞれの取り付け部分はブーツバンド８、９で締め付けて固定されている。
【０００６】
さて、この等速自在継手は、外輪１の内部とブーツ１７の内部に潤滑剤１１が充填されており、ブーツ１７の内部に充填した潤滑剤は、外輪１の内部の潤滑を補っている（特許文献１参照）。
【特許文献１】特開２００３−１６５９８８号公報
【発明の開示】
【発明が解決しようとする課題】
【０００７】
さて、等速自在継手の組立て作業は、工程間で搬送されたり、適宜等速自在継手を構成する部品（外輪１、内部部品１０、ブーツ１７）の向きを変えて行われることにより、作業効率が向上している。
しかしながら、図３に示す等速自在継手であると、潤滑剤１１を、外輪１とブーツ１７の内部に、それぞれの開口部からノズル等を用いて注入することにより充填させるため、外輪１とブーツ１７の内部に潤滑剤１１を充填させて、ブーツバンド８、９を締め付けるまでの工程間では、等速自在継手を搬送したり、部品の向きを変えたりする際に、潤滑剤１１が漏洩しないように気を配る必要が生じて、組立て作業の作業効率が低下する。
この理由は、外輪１とブーツ１７の内部に潤滑剤１１を充填させた後に等速自在継手を搬送したり、構成する部品の向きを変えたりすると、外輪１とブーツ１７の内部に充填した潤滑剤１１が、それぞれの開口部から外部に飛び出し、外輪１やブーツ１７などの外側に付着して部品の外観を損ねたり、作業者の手に付着して作業効率を低下させたりするためである。
【０００８】
また、図３に示す等速自在継手では、潤滑剤１１を外輪１とブーツ１７のそれぞれの内部に充填させるために、充填設備（配管、ノズル、ポンプ、計量器など）が必要になり、等速自在継手を組立てるための製造コストが嵩む課題があった。
【０００９】
さらに、等速自在継手の組立て作業中に、外輪１およびブーツ１７の内部に充填した潤滑剤１１が作業者の手に付着することや、等速自在継手の外側に潤滑剤１１が付着するために、この潤滑剤１１を拭き取る作業が必要となること、そして、等速自在継手の外側に付着する潤滑剤１１を少なくするために組立て作業に気を配らなければならないことなどにより、作業効率が低下する問題があった。
【００１０】
本発明は、上記の事情に鑑みてなされたものであり、組立て作業の作業効率を向上させることができる等速自在継手を低コストで提供することを目的とする。
【課題を解決するための手段】
【００１１】
上記の課題を解決するための本発明の等速自在継手は、開口部を有する外側継手部材と、前記外側継手部材の内側に配される内部部品の一部を構成し、前記外側継手部材に対して相対動作する内側継手部材とを備え、一端に小径部を有し、かつ、他端に大径部を有する筒状のブーツの前記小径部を前記内側継手部材から延びる軸部材の外周面に締め付け固定し、前記ブーツの大径部を外側継手部材の開口部外周面に締め付け固定した等速自在継手であって、少なくとも前記外側継手部材の内部に、潤滑剤が充填された袋体を収容させたことを特徴とする。
【００１２】
潤滑剤が充填される袋体は気密性が保持されたものである。この袋体は、等速自在継手の組立て前や組立て時には破裂や溶解などを起こして内部の潤滑剤を放出させない強度を持ち、少なくとも外側継手部材の内部に収容された後において、内部に充填された潤滑剤を、等速自在継手の作動に伴うその構成部品（外側継手部材、内部部品、ブーツ）との接触による破裂や、潤滑剤による全体あるいは部分的な溶解などにより、外側継手部材の内部に放出する素材で成形する。なお、ここでいう「少なくとも外側継手部材の内部」とは、ブーツの内部も含めた等速自在継手の内部を意味しており、以下では「継手内部」と略して表記する。また、「外側継手部材の内部に放出する」とは、袋体が、内部に充填された潤滑剤を、外側継手部材の内部の摺動部（内部部品同士が接触する摺動部および外側継手部材と内部部品とが接触する摺動部）に放出することを意味する。
【００１３】
袋体の内部に充填する潤滑剤としては、グリースや潤滑油など、半固体状の潤滑剤から液状の潤滑剤まで、周知の潤滑剤を使用することができる。
【００１４】
袋体の厚みとしては、袋体が、等速自在継手の組立て前や組立て時には破裂しない強度で、かつ、継手内部に収容後は、等速自在継手の作動により作動角をとる等速自在継手を構成する部品に接触して破裂し、潤滑剤を外側継手部材の内部に放出することができる厚みとする。具体的には０．１５ｍｍ以下とするのが望ましく、薄い程良い。
【００１５】
上記の潤滑剤が充填された袋体を継手内部に収容した本発明の等速自在継手では、袋体は、継手内部に収容された後において、内部に充填された潤滑剤を、等速自在継手の作動に伴うこの等速時自在継手を構成する部品との接触による破裂や、潤滑剤による全体あるいは部分的な溶解などにより、外側継手部材の内部に放出するため、外側継手部材の内部の潤滑に寄与することができる。
【００１６】
前記袋体は、潤滑剤と親和性をもつ素材で構成するのが望ましい。ここで、「親和性」とは、潤滑剤が袋体を膨潤させて溶解する性質のことを意味する。また、「潤滑剤が袋体を膨潤させる」とは、潤滑剤が袋体に徐々に染み込んで、袋体を膨張させることを意味する。
【００１７】
このように、本発明にかかる袋体を、内部に充填される潤滑剤と親和性をもつ素材で構成することで、継手内部に袋体を収容後、袋体に充填された潤滑剤は、袋体を膨潤させて全体あるいは部分的に溶解して、外側継手部材の内部に広がるため、外側継手部材の内部の潤滑に寄与することができる。この結果、外側継手部材やブーツの内部に潤滑剤を充填させる必要がなくなるため、潤滑剤を外側継手部材やブーツの内部に充填させるための設備が不要となり、組立てコストを削減することができる。また、袋体を、内部に充填される潤滑剤と親和性を持つ素材で構成すると、袋体は、潤滑剤に溶解されて継手内部に残ることがなく、好ましい。
【００１８】
さらに、上記のように、本発明にかかる袋体の内部に潤滑剤が充填されていることで、等速自在継手の組立て時に、この潤滑剤が作業者の手や等速自在継手の外側に付着することがない。そのため、等速自在継手の組立て時において、作業者の手に潤滑剤が付着することで作業効率が低下するのを防止できる。そして、前記のように本発明の等速自在継手は、等速自在継手の外側に潤滑剤が付着することがないため、等速自在継手の外側に付着する潤滑剤を拭き取る作業が不要となり、等速自在継手の組立て作業において作業効率を向上させることができると共に、潤滑剤が等速自在継手の外側に付着して等速自在継手の外観を損ねてしまうのを防止できる。
【００１９】
なお、本発明の等速自在継手は、潤滑剤を充填させた袋体を継手内部に収容するため、等速自在継手の組立て時に等速自在継手を構成する部品の向きを変えても、潤滑剤が外側継手部材やブーツの内部から外部に飛び出して、外側継手部材やブーツの表面に付着して部品の外観を損ねたり、作業者の手に付着して作業効率を低下させたりすることがない。この結果、等速自在継手の組立て作業は、適宜等速自在継手を構成する部品の向きを変えて行うことができるようになり、作業効率を向上させることができる。
【００２０】
前記袋体は、熱可塑性樹脂で構成するのが望ましい。
【００２１】
熱可塑性樹脂は、熱すると軟化して成形しやすくなり、冷やすと固まる性質を持つ樹脂である。従って、熱可塑性樹脂で構成した袋体に潤滑剤を充填し、袋体の潤滑剤の充填口に熱を加えて変形させることで前記充填口を塞ぐことにより、潤滑剤の気密性を保った本発明に係る袋体を容易に作成することができる。
【００２２】
前記袋体の形状は、球体、立方体、直方体、円柱など特に限定されるものでない。しかし、等速自在継手の作動に伴い、等速自在継手を構成する部品と接触しやすく、かつ、この接触により容易に変形して破裂しやすい形状とするのが望ましい。これにより、袋体は、継手内部に収容された後において、等速自在継手の作動に伴うその構成部品との接触により破裂して、内部に充填された潤滑剤を放出しやすくなる。これにより、外側継手部材の内部の潤滑を確実に行うことができる。
【００２３】
本発明にかかる袋体は、継手内部に複数個収容するのが望ましい。
【００２４】
このように、潤滑剤が充填された複数個の袋体を、継手内部の複数箇所に収容する場合、それぞれの袋体は、継手内部に収容された後において、内部に充填された潤滑剤を、等速自在継手の作動に伴うその構成部品との接触による破裂や、潤滑剤による全体あるいは部分的な溶解などにより、外側継手部材の内部に放出する。これにより、潤滑剤を外側継手部材の内部に偏り無く充填させることができるようになり、外側継手部材の内部の潤滑に寄与することができる。また、外側継手部材の内部に必要とされる種々の封入量に対応することができるようになる。
【００２５】
上記した複数個の袋体を内部に収容した等速自在継手の作用および効果は、複数個の袋体を、潤滑剤の充填量が異なる袋体の組合せとすることにより顕著になる。
【００２６】
これは、継手内部に収容する複数個の袋体を、潤滑剤の充填量が異なる袋体の組合せとすることで、複数個の袋体の個数を必要以上に増やすことなく、外側継手部材の内部の潤滑に必要とされる種々の封入量に容易に対応することができるようになり、袋の管理も容易となる。これは、任意の封入量に対応する多数の袋体を用意する必要がなく、例えば、１ｇ、５ｇ、１０ｇ、５０ｇなどの少ない種類の袋体を用意するだけで良いことを意味する。また、複数個の袋体を潤滑剤の充填量が異なる袋体の組合せとすると、これらの袋体を継手内部の広さの異なる空間に収容することにより、外側継手部材の内部の細部に至るまで偏り無く潤滑剤を充填させることができるようになり、外側継手部材の内部の潤滑を確実に行うことができる。なお、袋体の潤滑剤の充填量を全て同じにすると、袋体の管理は１種類で済むものの、各種の等速自在継手の封入量に対応するためには、袋体の潤滑剤の充填量を少量（例えば１ｇ）に設定すると、袋体の個数が必要以上に多くなって非効率であり、多量（例えば１０ｇ）に設定すると、種々の封入量に対応できなくなる。従って、潤滑剤の充填量が異なる袋体の組合せで管理することが望ましい。
【発明の効果】
【００２７】
本発明の等速自在継手は、潤滑剤が充填された袋体を継手内部に収容する。この袋体は、等速自在継手の組立て前や組立て時には破裂や溶解などを起こして内部の潤滑剤を放出させない強度を持ち、かつ、継手内部に収容された後において、内部に充填された潤滑剤を、等速自在継手の作動に伴うその構成部品との接触による破裂や、潤滑剤の全体あるいは部分的な溶解などにより、外側継手部材の内部に潤滑剤を放出する。これにより、外側継手部材の内部の潤滑が行われるため、外側継手部材やブーツの内部に潤滑剤を充填する設備が不要となり、等速自在継手の組立てにかかるコストを削減することができる。
【００２８】
また、本発明にかかる袋体は、等速自在継手の組立て時に、破裂や溶解により潤滑剤が放出されることがなく、この潤滑剤が作業者の手や等速自在継手の外側に付着することがない。そのため、等速自在継手の組立てにおける作業効率を向上させることができ、等速自在継手の外側に潤滑剤が付着することで等速自在継手の外観が損なわれることもない。
【００２９】
そして、本発明の等速自在継手は、潤滑剤を充填させた袋体を継手内部に収容するため、等速自在継手を構成する部品の向きを変えても、潤滑剤が外側継手部材やブーツの内部から外部に飛び出して、外側継手部材やブーツの表面に付着して部品の外観を損ねたり、作業者の手に付着して作業効率を低下させたりすることがない。この結果、等速自在継手の組立て作業は、適宜等速自在継手を構成する部品の向きを変えて行うことができるようになり、作業効率を向上させることができる。
【発明を実施するための最良の形態】
【００３０】
以下に本発明の実施の形態について、添付図面を参照して説明する。
【００３１】
図１に本発明の実施形態を示す。なお、本実施形態において、図３に示す等速自在継手と同じ部位、機能、形態を有する部品については同じ符号を付し、その詳細な説明を省略する。
【００３２】
本実施形態では、シャフト６から外輪１の開口端部１ｂに亙って、樹脂製で筒状のブーツ７が取り付けられている。なお、筒状のブーツ７は、ゴム製であってもよい。
【００３３】
このブーツ７は、大径部７ａと小径部７ｂおよび蛇腹部７ｃとからなり、蛇腹部７ｃは大径部７ａと小径部７ｂを連結している。大径部７ａは外輪１の開口端部１ｂの外周面に取り付けられ、小径部７ｂはシャフト６の外周面に取り付けられ、それぞれの取り付け部分はブーツバンド８、９で締め付けて固定されている。
【００３４】
このブーツ７と外輪１の内部には、潤滑剤（図示省略）が充填された複数の球状の袋体１２が収容されている。なお、袋体１２の潤滑剤の充填量は全て同じである。
【００３５】
この袋体１２は、等速自在継手の組立て前や組立て時に破裂や溶解などを起こして内部の潤滑剤を放出させない強度を持ち、かつ、継手内部に収容された後において、内部に充填された潤滑剤を、等速自在継手の作動に伴うその構成部品（外輪１、内部部品１０、ブーツ７）との接触による破裂や、潤滑剤による全体あるいは部分的な溶解などにより、外輪１の内部、さらに言えば、外輪１の内部の摺動部に放出する素材で成形する。
【００３６】
袋体の内部に充填する潤滑剤としては、グリースや潤滑油など、半固体状の潤滑剤から液状の潤滑剤まで、周知の潤滑剤を使用することができる。
【００３７】
このように、本実施形態では、潤滑剤が充填された袋体１２を継手内部に収容する。この袋体１２は、等速自在継手の組立て前や組立て時に破裂や溶解などを起こして内部の潤滑剤を放出させない強度を持ち、かつ、継手内部に収容された後において、内部に充填された潤滑剤を、等速自在継手の作動に伴うその構成部品との接触による破裂や、潤滑剤による全体あるいは部分的な溶解などにより、外輪１の内部に放出する。これにより、外輪１の内部の潤滑が行われるため、外輪１やブーツ７の内部に潤滑剤を充填する設備が不要となり、等速自在継手の組立てにかかるコストを削減することができる。
【００３８】
また、本発明にかかる袋体１２は、等速自在継手の組立て時に、破裂や溶解により潤滑剤が放出されることがなく、作業者の手や等速自在継手の外側に付着することがない。そのため、等速自在継手の組立てにおける作業効率を向上させることができ、等速自在継手の外側に潤滑剤が付着することで等速自在継手の外観が損なわれることもない。
【００３９】
さらに、本実施形態では、継手内部に複数個の袋体１２を収容するため、それぞれの袋体１２は、継手内部に収容された後において、内部に充填された潤滑剤を、等速自在継手の作動に伴うその構成部品との接触による破裂や、潤滑剤による全体あるいは部分的な溶解などにより、外輪１の内部に放出する。これにより、潤滑剤を外輪１の内部に偏り無く充填させることができるようになり、外輪１の内部における潤滑の向上が顕著になる。
【００４０】
以下に本発明に係る袋体１２について説明する。
【００４１】
袋体１２は、潤滑剤と親和性をもつ素材で構成するのが望ましい。ここで、「親和性」とは、潤滑剤が袋体１２を膨潤させて溶解する性質のことを意味する。また、「潤滑剤が袋体１２を膨潤させる」とは、潤滑剤が袋体１２に徐々に染み込んで、袋体１２を膨張させることを意味する。なお、本実施形態では、この現象が進行して、最終的に袋体１２は潤滑剤に溶解される。
【００４２】
このように、本発明にかかる袋体１２の内部に潤滑剤が充填されていることで、等速自在継手の組立て時に、この潤滑剤が作業者の手や等速自在継手の外側に付着することがない。そのため、等速自在継手の組立て時において、作業者の手に潤滑剤が付着することで作業効率が低下するのを防止できる。そして、前記のように本発明の等速自在継手は、等速自在継手の外側に潤滑剤が付着することがないため、等速自在継手の外側に付着する潤滑剤を拭き取る作業が不要となり、等速自在継手の組立て作業において作業効率を向上させることができると共に、潤滑剤が等速自在継手の外側に付着して等速自在継手の外観を損ねてしまうのを防止できる。
【００４３】
また、上記のように、袋体１２を内部に充填される潤滑剤と親和性をもつ素材で構成することで、継手内部に袋体１２を収容後、潤滑剤は袋体１２を膨潤させて溶解することにより、外輪１の内部に広がるため、外輪１の内部の潤滑を行うことができる。この結果、外輪１やブーツ７の内部に潤滑剤を充填させる必要がなくなるため、潤滑剤を外輪１やブーツ７の内部に充填させるための設備が不要となり、組立てコストを削減することができる。なお、袋体１２を、内部に充填される潤滑剤と親和性をもつ素材で構成すると、袋体１２の破片は、潤滑剤に溶解されて継手内部に残ることがなく、好ましい。
【００４４】
袋体１２は、上記したように、潤滑剤と親和性をもつ素材で構成する以外に、熱可塑性樹脂で構成することもできる。
【００４５】
熱可塑性樹脂は、熱すると軟化して成形しやすくなり、冷やすと固まる性質を持つ樹脂である。従って、熱可塑性樹脂で構成した袋体１２に潤滑剤を充填し、袋体１２の潤滑剤の充填口に熱を加えて変形させることで前記充填口を塞ぐことにより、潤滑剤の気密性を保った本発明の袋体１２を容易に作成することができる。
【００４６】
なお、熱可塑性樹脂としては、例えば、ポリエチレンやポリプロピレン、ポリエチレンテレフタレートなど、一般的によく使用されるものが挙げられる。また、生分解樹脂なども使用でき、この例として、３−ヒドロキシ酢酸などのヒドロキシ酸の重合体、二塩基酸とグリコールによるポリエステル、ポリカプロラクトンのポリエステルなどの脂肪族ポリエステル、酢酸セルロース、セルロースブチレートが例として挙げられる有機酸エステルや、硝酸セルロース、燐酸セルロースが例として挙げられる無機酸セルロースなどのセルロースエステルがある。
【００４７】
袋体１２の形状は、球体、立方体、直方体、円柱など特に限定されるものでない。しかし、この袋体１２の形状は、等速自在継手の作動により、この等速自在継手を構成する部品と接触しやすく、かつ、この接触により容易に変形して破裂しやすい形状とするのが望ましい。この場合、袋体１２を継手内部に収容後、等速自在継手が作動することにより、袋体１２は、等速自在継手を構成する部品との接触により破裂して潤滑剤を放出しやすくなり、外輪１の内部の潤滑を確実に行うことができる。
【００４８】
袋体１２の厚みとしては、袋体１２が、等速自在継手の組立て前や組立て時には破裂しない強度で、かつ、継手内部に収容された後において、内部に充填された潤滑剤を、等速自在継手の作動により等速自在継手を構成する部品との接触により破裂して、外輪１の内部に放出することができる厚みとし、薄い程良い。具体的には０．１５ｍｍ以下とするのが望ましく、好ましくは０．１ｍｍ以下である。
【００４９】
図２に本発明の第２の実施形態を示す。本実施形態においては、図１に示す第１の実施形態と同じ部位、機能、形態を有する部品については同じ符号を付し、その詳細な説明を省略する。
【００５０】
本実施形態においても、図１に示す第１の実施形態と同様、潤滑剤が充填された複数個の袋体１３を継手内部に収容する。この作用および効果、そして袋体１３の素材や形状については、第１の実施形態と同じであるため、その詳細な説明を省略する。
【００５１】
本実施形態では、複数個の袋体１３は、潤滑剤の充填量が異なる袋体１３、換言すれば、体積の異なる袋体１３の組合せとする。
【００５２】
この場合、複数個の袋体１３の個数を必要以上に増やすことなく外輪１の内部の潤滑に必要とされる種々の潤滑剤の充填量に容易に対応することができ、袋体１３の管理も容易となる。これは、任意の封入量に対応する多数の袋体を用意する必要がなく、例えば、１ｇ、５ｇ、１０ｇ、５０ｇなどの少ない種類の袋体を用意するだけで良いことを意味する。
袋体１３の潤滑剤の充填量を全て同じにすると、袋体１３の管理は１種類で済むものの、各種の等速自在継手の封入量に対応するためには、袋体１３の潤滑剤の充填量を少量（例えば１ｇ）に設定すると、袋体１３の個数が必要以上に多くなり過ぎ、多量（例えば１０ｇ）に設定すると、種々の封入量に対応できなくなる。そのため、本実施形態のように、潤滑剤の充填量が異なる袋体１３を用意することで、この問題が解決される。
そして、上記のように、複数個の袋体１３を潤滑剤の充填量が異なる袋体の組合せとすることで、袋体１３を継手内部の広さの異なる空間に収容することにより、外輪１の内部の細部に至るまで偏り無く潤滑剤を充填させることができるようになり、外輪１の内部の潤滑を確実に行うことができる。
【００５３】
以上、本発明の実施の形態について説明したが、これらはあくまで例示であり、特許請求の範囲に記載の意味および内容の範囲内において、全ての変更が可能である。
【００５４】
例えば、袋体は、等速自在継手の作動に伴うその構成部品との接触により破裂しやすく、かつ、この内部に充填される潤滑剤と親和性をもつ素材で構成することができる。この場合、既に説明した本発明の等速自在継手の作用および効果がより顕著になる。
【００５５】
また、図１および図２に示す第１および第２の実施形態では、ブーツ７は蛇腹部７ｃを有するものであるが、これに限られることはなく、外輪にブーツアダプタ等の連結部材を介して取り付ける断面Ｕ字型のダイアフラムブーツを取り付けた等速自在継手にも適用することができる。
【００５６】
さらに、図１と図２に示す第１および第２の実施形態では、本発明を固定型等速自在継手の一つであるボールフィクス型等速自在継手（ＢＪ）に適用したが、これに限られず、各種の等速自在継手に適用することができる。例えば、摺動型等速自在継手であれば、ダブルオフセット型等速自在継手（ＤＯＪ）、クロスグルーブ型等速自在継手（ＬＪ）、トリポード型等速自在継手（ＴＪ）が挙げられる。
【図面の簡単な説明】
【００５７】
【図１】本発明の第１の実施形態を示す断面図である。
【図２】本発明の第２の実施形態を示す断面図である。
【図３】従来の等速自在継手を示す断面図である。
【符号の説明】
【００５８】
１                          外輪（外側継手部材）
１ｂ                        開口端部
３                          内輪（内側継手部材）
４                          ボール
５                          ケージ
６                          シャフト
７                          ブーツ
７ａ                      大径部
７ｂ                      小径部
７ｃ                      蛇腹部
１０                        内部部品
１１                        潤滑剤
１２、１３                  袋体（内部に潤滑剤が充填されたもの）
【図１】
2008281037.tif 000003
【図２】
2008281037.tif 000004
【図３】
2008281037.tif 000005